(57)【要約】【課題】単一の磁気センサを用いた適切な蓋体の開閉検出。【解決手段】カメラ１００は、モニタ本体３１０に内蔵される第１磁石１１および第２磁石１２と第３磁石２２とカメラ１００の本体に固定され磁場の強さを検出する磁場検出部１３とモニタ本体３１０がＸ軸およびＹ軸回りの回転角度に基づいてモニタ本体３１０等の画像表示を制御する制御部を備える。第１磁石１１は、モニタ本体３１０がＸ軸に０ｄｅｇだけ回転した状態で収納部１０１に収納されている場合にＮ極の磁場を作る。第２磁石１２は、モニタ本体３１０がＸ軸に１８０ｄｅｇだけ回転した状態で収納部１０１に収納されている場合にＳ極の磁場を作る。第３磁石２２はＳ極の磁場を作る。制御部はモニタ本体３１０がＹ軸回りの回転角度を磁場検出部１３の検出結果に基づいて判断する。【選択図】図４
2014038190.tif 000002
【特許請求の範囲】
【請求項１】
蓋体が少なくとも第１軸および第２軸を有する多軸ヒンジ機構を介して機器本体に連結され、前記機器本体に前記蓋体を収納する収納位置が設けられた電子機器であって、
前記蓋体に内蔵される第１および第２の磁石と、
前記機器本体に固定され、固定位置における磁場の強さを検出する磁場検出部と、
前記固定位置に所定の極性のバイアス磁場を印加する第３の磁石と、
前記蓋体が前記第１軸および前記第２軸を中心に回転した角度に基づいて、前記蓋体もしくは前記機器本体またはそれらの両方に備わる表示部の画像表示を制御する表示制御部と、を備え、
前記第１の磁石は、前記蓋体が前記第１軸に第１の角度だけ回転した状態で前記収納位置にある場合に、第１の極性の磁場を前記固定位置に作る位置に内蔵され、
前記第２の磁石は、前記蓋体が前記第１軸に第２の角度だけ回転した状態で前記収納位置にある場合に、前記第１の極性とは反対の第２の極性の磁場を前記固定位置に作る位置に内蔵され、
前記表示制御部は、前記蓋体が前記第２軸を中心に回転した角度を、前記磁場検出部の検出結果に基づいて判断して、前記画像表示を制御することを特徴とする電子機器。
【請求項２】
請求項１に記載の電子機器において、
前記磁場検出部は、両極検知型のホール素子を有し、前記ホール素子を通過した磁束の磁束密度の絶対値が所定の閾値以下か否かを検出することを特徴とする電子機器。
【請求項３】
請求項２に記載の電子機器において、
前記ホール素子を通過する前記第３の磁石の磁束の磁束密度は、その絶対値が前記閾値以下であることを特徴とする電子機器。
【請求項４】
請求項２または３に記載の電子機器において、
前記表示制御部は、
前記蓋体が前記第１軸を中心に前記第１の角度だけ回転した状態で、前記磁場検出部が前記ホール素子を通過した磁束の磁束密度の絶対値が所定の閾値より大きいことを検出したときは、画像を反転させずに前記表示部に表示させ、
前記蓋体が前記第１軸を中心に前記第１の角度だけ回転した状態で、前記磁場検出部が前記ホール素子を通過した磁束の磁束密度の絶対値が所定の閾値以下であることを検出したときは、画像の左右を反転させて前記表示部に表示させ、
前記蓋体が前記第１軸を中心に前記第２の角度だけ回転した状態で、前記磁場検出部が前記ホール素子を通過した磁束の磁束密度の絶対値が所定の閾値より大きいことを検出したときは、画像の上下左右を反転させて前記表示部に表示させ、
前記蓋体が前記第１軸を中心に前記第２の角度だけ回転した状態で、前記磁場検出部が前記ホール素子を通過した磁束の磁束密度の絶対値が所定の閾値以下であることを検出したときは、前記表示部を消灯することを特徴とする電子機器。
【請求項５】
請求項１から４のいずれか一項に記載の電子機器において、
前記第１の磁石のＮ極は、前記第２の磁石のＮ極と同一方向を向くように前記蓋体に内蔵されることを特徴とする電子機器。
【請求項６】
請求項１から５のいずれか一項に記載の電子機器において、
前記第１の磁石と前記第２の磁石とは、同一種類の永久磁石であることを特徴とする電子機器。
【請求項７】
請求項１から６のいずれか一項に記載の電子機器において、
前記第１および前記第２の磁石は、前記第２軸に対して平行に並べて前記蓋体の内部に配置され、前記第１軸を中心に対称な位置に配置されることを特徴とする電子機器。
【請求項８】
請求項１から７のいずれか一項に記載の電子機器において、
前記第３の磁石を内蔵する磁気部材をさらに備え、
前記磁気部材は、スピーカ、ＤＣモータ、ボイスコイルモータ、またはソレノイドアクチュエータであることを特徴とする電子機器。
【発明の詳細な説明】
【技術分野】
【０００１】
本発明は、表示装置およびこれを備えた電子機器に関する。
【背景技術】
【０００２】
機器本体にバリアングルモニタなどの蓋体が開閉可能に連結された電子機器が知られている（例えば、特許文献１）。特許文献１の蓋体は、表示面を表面に有し、第１軸に沿って開閉すると共に、第２軸に沿って表裏反転する。蓋体には、第１の磁石と第１の磁気センサが設けられており、機器本体には第２の磁石と第２の磁気センサが設けられている。蓋体の表面を外側に向けて蓋体が閉じた状態からの蓋体の開閉検出には第２の磁気センサが用いられ、蓋体の裏面を外側に向けて蓋体が閉じた状態からの蓋体の開閉検出は第１の磁気センサが用いられる。
【先行技術文献】
【特許文献】
【０００３】
【特許文献１】特開２０１０−２０６２３８号公報
【発明の概要】
【発明が解決しようとする課題】
【０００４】
バリアングルモニタの開閉方向の回転角度に応じて表示切替を行う電子機器にあっては、バリアングルモニタの表面を外側に向けた状態と、バリアングルモニタの裏面を外側に向けた状態とで、表示を切り替える角度を変更することがある。特許文献１の発明を用いる場合、バリアングルモニタの表面を外側に向けて蓋体が閉じた状態からのバリアングルモニタの開閉検出と、バリアングルモニタの裏面を外側に向けて蓋体が閉じた状態からのバリアングルモニタの開閉検出とで異なる磁気センサを必要とする。
【課題を解決するための手段】
【０００５】
本発明に係る電子機器は、蓋体が少なくとも第１軸および第２軸を有する多軸ヒンジ機構を介して機器本体に連結され、機器本体に蓋体を収納する収納位置が設けられた電子機器であって、蓋体に内蔵される第１および第２の磁石と、機器本体に固定され、固定位置における磁場の強さを検出する磁場検出部と、固定位置に所定の極性のバイアス磁場を印加する第３の磁石と、蓋体が第１軸および第２軸を中心に回転した角度に基づいて、蓋体もしくは機器本体またはそれらの両方に備わる表示部の画像表示を制御する表示制御部と、を備え、第１の磁石は、蓋体が第１軸に第１の角度だけ回転した状態で収納位置にある場合に、第１の極性の磁場を固定位置に作る位置に内蔵され、第２の磁石は、蓋体が第１軸に第２の角度だけ回転した状態で収納位置にある場合に、第１の極性とは反対の第２の極性の磁場を固定位置に作る位置に内蔵され、表示制御部は、蓋体が第２軸を中心に回転した角度を、磁場検出部の検出結果に基づいて判断して、画像表示を制御することを特徴とする。
【発明の効果】
【０００６】
本発明によれば、バリアングルモニタの表面を外側に向けた状態と、バリアングルモニタの裏面を外側に向けた状態とで、表示を切り替える回転角度を変更する電子機器において、バリアングルモニタの表面を外側に向けてバリアングルモニタが閉じた状態からのバリアングルモニタの開閉検出と、バリアングルモニタの裏面を外側に向けてバリアングルモニタが閉じた状態からのバリアングルモニタの開閉検出とを、単一の磁気センサを用いて行うことができる。
【図面の簡単な説明】
【０００７】
【図１】本発明の一実施形態における電子機器の斜視図の一例であって、デジタルカメラを背面方向から見た斜視図である。
【図２】図１のデジタルカメラの概略背面図である。
【図３】Ｙ軸回りの回転角度と磁場検出部を通過する磁束の磁束密度との関係について説明するための図である。
【図４】（ａ）図２のデジタルカメラのモニタ本体がＹ軸回りに回転した後の概略背面図である。（ｂ）図４（ａ）の概略背面図に対する概略底面図である。
【図５】図１のデジタルカメラにおけるＹ軸回りの回転角度と磁場検出部を通過する磁束の磁束密度との関係の一部を示す図である。
【図６】図１のデジタルカメラのモニタ本体がＸ軸回りに回転した後の概略背面図である。
【図７】Ｙ軸回りの回転角度と磁場検出部を通過する磁束の磁束密度との関係について説明するための図である。
【図８】（ａ）図６のデジタルカメラのモニタ本体がＹ軸回りに回転した後の概略背面図である。（ｂ）図８（ａ）の概略背面図に対する概略底面図である。
【図９】図１のデジタルカメラにおけるＹ軸回りの回転角度と磁場検出部を通過する磁束の磁束密度との関係の一部を示す図である。
【図１０】図１のデジタルカメラにおけるＹ軸回りの回転角度と磁場検出部を通過する磁束の磁束密度との関係を示す図である。
【図１１】図１のデジタルカメラにおける表示制御に関するブロック図である。
【図１２】図１のデジタルカメラにおける表示制御内容の一例を示す図である。
【図１３】図１のデジタルカメラにおける表示制御に関するフローチャートの一例である。
【発明を実施するための形態】
【０００８】
図１は、電子機器としてのデジタルカメラの概略斜視図である。カメラ１００は、前面にレンズ鏡胴２００を有し、背面にバリアングルモニタ３００を有する。バリアングルモニタ３００は、モニタ本体３１０とヒンジユニット３２０とを備える。
【０００９】
モニタ本体３１０は、ヒンジユニット３２０によりカメラ１００の本体背面に連結される。カメラ１００の背面には、モニタ本体３１０を収納する収納部１０１が設けられている。
【００１０】
ヒンジユニット３２０は、モニタ本体３１０をＸ軸（カメラ横方向の軸）およびＹ軸（カメラ縦方向の軸）回りに回転可能に支持する。モニタ本体３１０は、Ｘ軸回りに回転することにより、表示面３１１を有する表面と、その裏面とを反転させることができる。図１では、表示面３１１を有する表面がカメラ１００の背面側に向けられている。モニタ本体３１０は、Ｙ軸回りに回転することにより、収納部１０１へ収納することができ、収納部１０１に収納された状態から退出させることもできる。図１では、モニタ本体３１０は、収納部１０１から退出している。
【００１１】
図２は、図１に示したカメラ１００の概略背面図である。図２に示すようにモニタ本体３１０には、第１磁石１１と第２磁石１２とが内蔵されている。第１磁石１１および第２磁石１２は、同一種類の永久磁石で構成される。また、第１磁石１１および第２磁石１２は棒磁石であって、図２の紙面垂直方向手前側にＳ極が向いている。第１磁石１１と第２磁石１２は、Ｙ軸に対して平行に並べて配置されており、Ｘ軸を中心に対称な位置に配置されている。
【００１２】
図２に示すようにカメラ１００には、磁場検出部１３が内蔵されている。磁場検出部１３は、カメラ１００の所定の位置に取り付けられている。磁場検出部１３は、例えばカメラ１００に内蔵された両極検知型のホールＩＣスイッチで構成される。磁場検出部１３は、Ｓ極の磁場およびＮ極の磁場の両方の強弱を検出することができる。磁場検出部１３は、図２の紙面垂直方向に磁場検出部１３を通過する磁束の磁束密度に基づいて電気信号を出力する。すなわち、磁場検出部１３は、その磁束密度の絶対値が所定の閾値Ｂｔｈ以下のときＯＦＦとなり、所定の閾値Ｂｔｈを超えたときＯＮとなる電気信号を送信する。カメラ１００は、磁場検出部１３が出力する電気信号により、モニタ本体３１０のＹ軸回りの回転を検出する。
【００１３】
図２の状態からモニタ本体３１０がＹ軸回りに回転すると、第２磁石１２が磁場検出部１３に近づく。図３のグラフＧ１は、磁場検出部１３の周辺に第２磁石１２以外の磁荷が存在しない場合における、磁場検出部１３を通過する磁束の磁束密度Ｂと、モニタ本体３１０のＹ軸回りの回転角度θとの関係を示す。
【００１４】
図３の縦軸は、図２の紙面垂直方向に磁場検出部１３を通過する磁束の磁束密度Ｂである。磁束が図２の紙面垂直方向手前側から奥側に向けて磁場検出部１３を通過した場合、磁束密度Ｂは正の値となる。一方、磁束が図２の紙面垂直方向奥側から手前側に向けて磁場検出部１３を通過した場合、磁束密度Ｂは負の値となる。
【００１５】
図３の横軸はモニタ本体３１０のＹ軸回りの回転角度θである。モニタ本体３１０が収納部１０１に収納された状態の回転角度θが０ｄｅｇである。図２の状態では、回転角度θは１８０ｄｅｇである。図３を見て明らかなように、第２磁石１２以外の磁荷が存在しない場合、磁束密度Ｂの絶対値は回転角度θが小さくなるほど大きくなる。なお、後述するように実際には磁場検出部１３の周辺に第２磁石１２以外の磁荷が存在する。第２磁石１２以外の磁荷が存在する場合の磁束密度Ｂと回転角度θの関係については後述する。
【００１６】
ヒンジユニット３２０の内部には、Ｘ軸回りのモニタ本体３１０の回転を検出する検出スイッチ１４が内蔵されている。検出スイッチ１４は、例えばマイクロスイッチで構成される。検出スイッチ１４は、モニタ本体３１０のＸ軸回りの回転角度ωが所定範囲内にあるとき、例えば回転軸に設けられた突起部の接触を検知して、ＯＮとなる電気信号を送信する。なお、図２の状態では、回転角度ωは、１８０ｄｅｇである。カメラ１００は、検出スイッチ１４が出力する電気信号により、モニタ本体３１０のＸ軸回りの回転状態を検出する。
【００１７】
カメラ１００は、磁場検出部１３と検出スイッチ１４からの電気信号に基づいて、表示面３１１に表示する画面を制御する。例えば、モニタ本体３１０の状態に合わせて表示面３１１に表示する画像を上下左右に反転させて、カメラ１００を保持した撮影者の操作性を向上させる。例えば図２の状態では、カメラ１００は、表示面３１１に上下左右を反転させた画像を表示する。撮影者は、図２の表示面３１１にスルー画像が表示された状態で、Ｘ軸回りにモニタ本体３１０を回転させることにより、ハイ／ローアングル撮影を行うことができる。
【００１８】
図４（ａ）は、カメラ１００の概略背面図であり、図２のモニタ本体３１０をＹ軸回りに回転させて収納部１０１に収納した状態を示している。図４（ａ）の状態は、図３の回転角度θが０ｄｅｇの状態であり、回転角度ωが１８０ｄｅｇである。図４（ａ）では、モニタ本体３１０の裏面がカメラ１００の背面側（紙面垂直方向手前側）に向いている。図４（ａ）の状態では、第１磁石１１および第２磁石１２は、図４（ａ）の紙面垂直方向手前側にＮ極が向いている。
【００１９】
図４（ａ）の状態では、表示面３１１は、カメラ１００の前面側に向いており、収納部１０１により隠れている。カメラ１００は、図４（ａ）の状態では、表示面３１１を消灯して電力を節約する。
【００２０】
図４（ｂ）は、図４（ａ）のカメラ１００の概略底面図である。図４（ｂ）に示すように、図４（ａ）の状態において第２磁石１２は磁場検出部１３と対向する位置に配置される。図４（ｂ）では、第２磁石１２のＳ極が磁場検出部１３に向けられている。
【００２１】
図４（ａ）および（ｂ）に示す状態では、磁場検出部１３は、第２磁石１２が作る磁場の強さを検出する。なお、図４（ａ）および（ｂ）に示す状態では、磁場検出部１３の位置における第１磁石１１が作る磁場の強さは、無視できるほど微弱である。
【００２２】
図４（ｂ）に示されるように、カメラ１００は、スピーカ２１を内蔵している。スピーカ２１は、例えば動画撮影時に周囲環境の音声を集音して、音声信号を出力する。スピーカ２１は、内部に第３磁石２２を内蔵している。第３磁石２２は、磁場検出部１３よりもカメラ１００の前面側（レンズ鏡胴２００側）に設けられている。第３磁石２２は、磁場検出部１３にＳ極を向けている。
【００２３】
磁場検出部１３は、第３磁石２２の磁場のみによっては、ＯＮにならない。すなわち、第３磁石２２以外の磁荷が存在しない場合、磁場検出部１３を通過する磁束の磁束密度の絶対値は閾値Ｂｔｈ以下である。
【００２４】
図４（ｂ）の第２磁石１２と第３磁石２２のうち第２磁石１２のみを考えたとき第２磁石１２の磁束はカメラ１００の前面側から背面側に向かう方向に磁場検出部１３を通過する。そのため、図３のグラフＧ１では、回転角度θが０ｄｅｇのときの磁束密度Ｂは、負の値となっている。図４（ｂ）の第２磁石１２と第３磁石２２のうち第３磁石２２のみを考えたとき第３磁石２２の磁束はカメラ１００の背面側から前面側に向かう方向に磁場検出部１３を通過する。すなわち、第３磁石２２は、図５にグラフＧ２として示されるようにグラフＧ１を正方向にオフセットさせるようなバイアス磁場を磁場検出部１３の検出位置に作る。
【００２５】
図６は、カメラ１００の概略背面図であり、図２のモニタ本体３１０をＸ軸回りに１８０ｄｅｇ回転させて、回転角度ωを０ｄｅｇに変更した状態を示している。図６では、モニタ本体３１０の裏面がカメラ１００の背面側（紙面垂直手前側）に向いている。換言すると、表示面３１１（図６には不図示）を有するモニタ本体３１０の表面がカメラ１００の前面側に向いている。図６の状態のカメラ１００は、撮影者が撮影者自身を撮影する状況に用いられる。そのため、図６の状態のカメラ１００では、スルー画像を左右反転させて表示面３１１に表示させる。なお、メニュー画面等、スルー画像以外のものを表示する際には画像を左右反転させない。図６では、第１磁石１１および第２磁石１２は、図６の紙面垂直方向手前側にＮ極を向けている。
【００２６】
図６の状態からモニタ本体３１０がＹ軸回りに回転すると、第１磁石１１が磁場検出部１３に近づく。図７のグラフＧ３は、磁場検出部１３の周辺に第１磁石１１以外の磁荷が存在しない場合における、磁場検出部１３を通過する磁束の磁束密度Ｂと、モニタ本体３１０のＹ軸回りの回転角度θとの関係を示す。
【００２７】
図７の縦軸は、図６の紙面垂直方向に磁場検出部１３を通過する磁束の磁束密度Ｂである。磁束が図６の紙面垂直方向手前側から奥側に向けて磁場検出部１３を通過した場合、磁束密度Ｂは正の値となる。一方、磁束が図６の紙面垂直方向奥側から手前側に向けて磁場検出部１３を通過した場合、磁束密度Ｂは負の値となる。
【００２８】
図７の横軸は、モニタ本体３１０のＹ軸回りの回転角度θである。モニタ本体３１０が収納部１０１に収納された状態の回転角度θが０ｄｅｇである。図６の状態では、回転角度θは１８０ｄｅｇである。図７を見て明らかなように、第１磁石１１以外の磁荷が存在しない場合、磁束密度Ｂの絶対値は回転角度θが小さくなるほど大きくなる。なお、実際には磁場検出部１３の周辺に第３磁石２２などの磁荷が存在する。第３磁石２２が存在する場合の磁束密度Ｂと回転角度θの関係については後述する。
【００２９】
図８（ａ）は、カメラ１００の概略背面図であり、図６のモニタ本体３１０をＹ軸回りに回転させて収納部１０１に収納した状態を示している。図８（ａ）の状態は、図７の回転角度θが０ｄｅｇの状態であり、回転角度ωが０ｄｅｇの状態である。図８（ａ）では、モニタ本体３１０の表面がカメラ１００の背面側（紙面垂直方向手前側）に向いており、表示面３１１がカメラ１００の背面側に向いている。カメラ１００は、図８の状態では、表示面３１１に画像を反転させずに表示する。図８（ａ）の状態では、カメラ１００は、第１磁石１１および第２磁石１２は、図８（ａ）の紙面垂直方向手前側にＳ極が向いている。
【００３０】
図８（ｂ）は、図８（ａ）のカメラ１００の概略底面図である。図８（ｂ）に示すように、図８（ａ）の状態において第１磁石１１は磁場検出部１３と対向する位置に配置される。図８（ｂ）では、第１磁石１１のＮ極が磁場検出部１３に向けられている。
【００３１】
図８（ａ）および（ｂ）に示す状態では、磁場検出部１３は、第１磁石１１が作る磁場の強さを検出する。また、図８（ａ）および（ｂ）に示す状態では、磁場検出部１３の位置における第２磁石１２が作る磁場の強さは、無視できるほど微弱である。
【００３２】
図８（ｂ）の状態では、図４（ｂ）と同様にスピーカ２１の第３磁石２２は磁場検出部１３にＳ極を向けている。図８（ｂ）の第１磁石１１と第３磁石２２のうち、第１磁石１１のみを考えたとき第１磁石１１の磁束はカメラ１００の背面側から前面側に向かう方向に磁場検出部１３を通過する。そのため、図７のグラフＧ３では、回転角度θが０ｄｅｇのときの磁束密度Ｂは正の値となっていた。第３磁石２２は、図９にグラフＧ４として示されるように、グラフＧ３を正方向にオフセットさせる。
【００３３】
図１０は、第３磁石２２による磁束密度Ｂのオフセットが磁場検出部１３の信号出力に与える影響を説明するための図である。図１０には、グラフＧ１、グラフＧ２、グラフＧ３、およびグラフＧ４が表示されると共に、縦軸上に閾値＋Ｂｔｈと−Ｂｔｈとがプロットされている。
【００３４】
前述したとおり磁場検出部１３は、磁束密度Ｂの絶対値が閾値Ｂｔｈを超えた時にＯＮとなる。すなわち、図１０において磁束密度Ｂが閾値＋Ｂｔｈ以上の場合または閾値−Ｂｔｈ以下の場合に磁場検出部１３はＯＮとなり、磁束密度Ｂが閾値−Ｂｔｈより大きく閾値＋Ｂｔｈ未満の場合に磁場検出部１３はＯＦＦとなる。
【００３５】
グラフＧ１において磁束密度Ｂが閾値−Ｂｔｈとなる回転角度θは、θ２である。一方、グラフＧ２において磁束密度Ｂが閾値−Ｂｔｈとなる回転角度θは、θ２よりも小さいθ１である。このグラフＧ１とグラフＧ２との間における、閾値−Ｂｔｈとなる回転角度θの差は、第３磁石２２によるオフセットに起因する。
【００３６】
グラフＧ３において磁束密度Ｂが閾値＋Ｂｔｈとなる回転角度θは、θ２である。一方、グラフＧ４において磁束密度Ｂが閾値＋Ｂｔｈとなる回転角度θは、θ２よりも大きいθ３である。このグラフＧ３とグラフＧ４との間における、閾値＋Ｂｔｈとなる回転角度θの差は、第３磁石２２によるオフセットに起因する。
【００３７】
第３磁石２２によるオフセットが存在しない場合、グラフＧ１において磁束密度Ｂが閾値−Ｂｔｈとなる回転角度θと、グラフＧ３において磁束密度Ｂが閾値＋Ｂｔｈとなる回転角度θとは共にθ２である。すなわち、第３磁石２２によるオフセットが存在しない場合、Ｙ軸回りにモニタ本体３１０を回転させたときに磁場検出部１３のＯＮ／ＯＦＦが切り替わる回転角度θは、モニタ本体３１０のＸ軸回りの回転角度ωによらず一定である。第３磁石２２によるオフセットが存在する場合、モニタ本体３１０のＸ軸回りの回転角度ωが０ｄｅｇおよび１８０ｄｅｇのいずれであるかに基づいて、磁場検出部１３のＯＮ／ＯＦＦが切り替わる回転角度θを切り替えることができる。具体的には、回転角度ωが回転角度θ１と回転角度θ３との間で切り替わる。
【００３８】
カメラ１００の設計者は、第３磁石２２の選定、磁場検出部１３の閾値Ｂｔｈ、磁場検出部１３と第３磁石２２との位置関係などを調整することにより、磁場検出部１３のＯＮ／ＯＦＦが切り替わる回転角度θを調整することができる。
【００３９】
図１１は、表示面３１１の表示制御に関するカメラ１００の制御ブロック図である。カメラ１００は、磁場検出部１３と検出スイッチ１４と制御部１５と記憶部１６と操作部材１７と表示部１８とを備える。
【００４０】
制御部１５は、ＣＰＵ等からなり、表示画像の制御や撮影動作等を含むカメラ１００の全体の制御を行う。記憶部１６は、カメラ１００の制御プログラム、各種画像データなどが記憶される。制御部１５は、記憶部１６に記憶されている制御プログラムを実行することにより、カメラ１００全体を制御する。操作部材１７は、電源スイッチやレリーズスイッチなどを含み、撮影者がカメラ１００を操作する際に用いられる。
【００４１】
表示部１８は、バリアングルモニタ３００を含み、画像を表示する表示面を有する。カメラ１００は、バリアングルモニタ３００の他にスルー画像やメニュー画面を表示する表示部材を備えることにしてもよい。
【００４２】
図１２は、制御部１５が行う表示部１８の表示制御について説明するための図である。図１２は、Ｘ軸回りの回転角度ωを横軸に、Ｙ軸回りの回転角度θを縦軸にとったときの表示制御の一例を図示した概要図である。
【００４３】
図１２に図示された（ω，θ）は、未使用、反転なし、左右反転、上下左右反転、消灯という表示制御を表す領域に区分されている。なお、図１２において領域を区分する線は、説明の簡略化のために直線となっているが、実際には未使用を表す領域との区分線はその一部が曲線となる。
【００４４】
図１２において表示制御の内容が「未使用」となっている領域は、機構的な制限等によりモニタ本体３１０をその状態に動かすことができないため処理内容が定義されていない領域である。
【００４５】
図１２において表示制御の内容が「反転なし」となっている領域は、制御部１５が表示面３１１等に画像を表示するときに画像を左右にも上下にも反転させずに表示する領域である。
【００４６】
図１２において表示制御の内容が「左右反転」となっている領域は、制御部１５が表示面３１１等にスルー画像を表示するときにスルー画像を左右反転させて表示する領域である。
【００４７】
図１２において表示制御の内容が「上下左右反転」となっている領域は、制御部１５が表示面３１１等に画像を表示するときに画像を上下左右反転させて表示する領域である。
【００４８】
図１２において表示制御の内容が「消灯」となっている領域は、制御部１５が電力を節約するためにモニタ本体３１０を消灯して、表示面３１１等に画像を表示しない領域である。
【００４９】
（ω，θ）＝（０，０）のとき、カメラ１００は図８（ａ）および（ｂ）の状態にある。このときの表示制御は、「反転なし」である。（ω，θ）＝（０，０）の状態からモニタ本体３１０がＹ軸回りに回転すると、表示制御は、（ω，θ）＝（０，θ３）を境にして「左右反転」に切り替わる。その後、表示制御は、少なくとも（ω，θ）＝（０，１８０）まで「左右反転」である。（ω，θ）＝（０，１８０）のとき、カメラ１００は図６の状態にある。スルー画像を左右反転表示することにより、撮影者が容易に自分自身を撮影できるようにする。
【００５０】
（ω，θ）＝（０，１８０）の状態からモニタ本体３１０をＸ軸回りに回転させると、表示制御は、ω＝（ω１，１８０）を境にして「上下左右反転」に切り替わる。（ω，θ）＝（１８０，１８０）のとき、カメラ１００は図２の状態にある。図２の状態では、図８（ａ）の状態と比べて表示面３１１自体が上下左右に反転している。制御部１５は、撮影者から正立した画像が見えるように画像を上下反転させて表示面３１１に表示する。
【００５１】
（ω，θ）＝（１８０，１８０）の状態からモニタ本体３１０をＹ軸回りに回転させると、表示制御は、ω＝（１８０，θ１）を境にして「消灯」に切り替わる。
【００５２】
撮影者は、自分自身を撮影するときレンズ鏡胴２００を自分自身に向ける。この状態で表示面３１１を見るためには、Ｙ軸回りの回転角度θを９０ｄｅｇより大きくすることが望ましい。また、撮影者が自分自身以外の通常の被写体を撮影する場合に、図８（ａ）の状態からＹ軸回りにモニタ本体３１０を回転させることがある。そのときに表示制御が「左右反転」に切り替わる可能性を低減するため、回転角度ωが略０ｄｅｇのときは磁場検出部１３のＯＮ／ＯＦＦが切り替わる回転角度は大きい方が望ましい。また、撮影者が撮影に使える回転角度θを大きく確保する観点から、「消灯」に切り替わる回転角度θは、０ｄｅｇに近いことが望ましい。カメラ１００では、磁場検出部１３のＯＮ／ＯＦＦが切り替わる回転角度を、第３磁石２２を用いて磁束密度Ｂをオフセットすることにより、回転角度ωが略０ｄｅｇの場合にθ２からθ３に増大させ、回転角度ωが略１８０ｄｅｇのときにθ２からθ１に減少させることにより解決している。
【００５３】
図１３は、表示制御処理に関するフローチャートである。ステップＳ５００では、制御部１５は、磁場検出部１３の出力信号を取得する。ステップＳ５０１では、制御部１５は、検出スイッチ１４の出力信号を取得する。ステップＳ５０２では、制御部１５は、ステップＳ５００で取得した磁場検出部１３の出力信号と、ステップＳ５０１で取得した検出スイッチ１４の出力信号とに基づいて、表示制御を決定する。例えば、図１２に関するルックアップテーブルを予め記憶部１６に記憶させておき、磁場検出部１３および検出スイッチ１４の出力信号に基づいてそのルックアップテーブルを参照することにしてもよい。
【００５４】
ステップＳ５０３では、制御部１５は、ステップＳ５０２で決定した表示制御に従って適宜画像を反転させる。ステップＳ５０４では、制御部１５は、ステップＳ５０３の処理結果を表示部１８に出力して、画像を表示させる。その後、制御部１５は、ステップＳ５００から図１３の処理を繰り返す。
【００５５】
以上で説明した実施の形態によれば、以下の作用効果が得られる。
カメラ１００は、モニタ本体３１０がＸ軸およびＹ軸を有するヒンジユニット３２０を介してカメラ１００の本体に連結される。モニタ本体３１０は、第１磁石１１と第２磁石１２とを内蔵する。カメラ１００の本体は、第３磁石２２を有するスピーカ２１を内蔵する。磁場検出部１３は、カメラ１００の本体の所定位置に固定され、磁場の強さを検出する。制御部１５は、モニタ本体３１０がＸ軸およびＹ軸を中心に回転した角度に基づいて、モニタ本体３１０の表示面３１１を少なくとも含む表示部１８の画像表示を制御する。第１磁石１１は、モニタ本体３１０がＸ軸回りの回転角度ωが０ｄｅｇであり収納部１０１に収納されているときに、Ｎ極を磁場検出部１３に向けており、その磁場が磁場検出部１３に検出される。第２磁石１２は、モニタ本体３１０がＸ軸回りの回転角度ωが１８０ｄｅｇであり収納部１０１に収納されているときに、Ｓ極を磁場検出部１３に向けており、その磁場が磁場検出部１３に検出される。第３磁石２２は、磁場検出部１３にＳ極を向けている。制御部１５は、モニタ本体３１０のＹ軸回りの回転角度θを、磁場検出部１３のＯＮ／ＯＦＦに基づいて判断して、表示部１８に表示する画像を制御する。
カメラ１００は、モニタ本体３１０の表面がカメラ１００の背面側を向いたとき（ω＝０）は第１磁石１１と第３磁石２２とが磁場検出部１３の位置における磁場を強め合って、モニタ本体３１０の裏面がカメラ１００の背面側を向いたとき（ω＝１８０）は第２磁石１２と第３磁石２２とが磁場検出部１３の位置における磁場を弱め合う。したがって、カメラ１００は、単一の磁場検出部１３を用いて、モニタ本体３１０の表面がカメラ１００の背面側を向いたときと、モニタ本体３１０の裏面がカメラ１００の背面側を向いたときとで制御の切り替えを行う回転角度θを変更することができる。
【００５６】
カメラ１００では、第１磁石１１と第２磁石１２が同一種類の永久磁石で構成されており、第３磁石２２としてスピーカ２１の一部品を別用途に使用している。このように一つの電子機器に使用する部品の種類を低減することにより、製造管理上のコストを低減することができる。
【００５７】
以上で説明した実施形態は、以下のように変形して実施できる。
（変形例１）
上記実施の形態では、第３磁石２２は、スピーカ２１に内蔵される部品であった。しかし、第３磁石２２を内蔵する磁気部材は、スピーカ２１だけに限定しない。たとえば、レンズ鏡胴２００やポップアップ式のフラッシュを駆動するＤＣモータに内蔵される永久磁石を第３磁石２２として用いてもよい。また、ソレノイドアクチュエータやボイスコイルモータに内蔵される永久磁石を第３磁石２２として用いてもよい。第１磁石１１、第２磁石１２の磁極は、第３磁石２２に選定した磁気部材の磁極に基づいて設定することが望ましい。
【００５８】
また、第３磁石２２を単独でカメラ１００に内蔵することにしてもよい。例えば、カメラ１００の本体に第３磁石２２を単独で設置してもよいし、ヒンジユニット３２０の内部に第３磁石２２を単独で設置してもよい。
【００５９】
（変形例２）
バリアングルモニタ３００のヒンジユニット３２０は、モニタ本体３１０をＸ軸およびＹ軸回りに回転可能に支持することにしたが、３軸以上の軸回りに回転可能にモニタ本体３１０を支持することにしてもよい。
【００６０】
（変形例３）
第１磁石１１と第２磁石１２とは、異なる種類の磁石を用いることにしてもよい。例えば、第３磁石２２との反発による減磁を予防する目的により、第２磁石１２は第１磁石１１よりも保磁力の高い材料を用いることにしてもよい。
【００６１】
（変形例４）
本発明は、デジタルカメラ以外の電子機器にも適用することができる。例えば、折りたたみ式の携帯電話などにも適用することができる。また、デジタルカメラに適用する場合にあっても、レンズ鏡胴２００を備えるようなデジタルカメラだけでなく、レンズ交換式のデジタルカメラにも適用することができる。
【００６２】
以上で説明した実施の形態や変形例はあくまで例示に過ぎず，発明の特徴が損なわれない限り本発明はこれらの内容に限定されない。また，以上で説明した実施の形態や変形例は発明の特徴が損なわれない限り組み合わせて実行してもよい。
【符号の説明】
【００６３】
１１  第１磁石
１２  第２磁石
１３  磁場検出部
１４  検出スイッチ
１５  制御部
１６  記憶部
１８  表示部
２１  スピーカ
２２  第３磁石
１００  カメラ
１０１  収納部
３００  バリアングルモニタ
３１０  モニタ本体
３１１  表示面
３２０  ヒンジユニット
【図１】
2014038190.tif 000003
【図２】
2014038190.tif 000004
【図３】
2014038190.tif 000005
【図４】
2014038190.tif 000006
【図５】
2014038190.tif 000007
【図６】
2014038190.tif 000008
【図７】
2014038190.tif 000009
【図８】
2014038190.tif 000010
【図９】
2014038190.tif 000011
【図１０】
2014038190.tif 000012
【図１１】
2014038190.tif 000013
【図１２】
2014038190.tif 000014
【図１３】
2014038190.tif 000015